(57)【要約】      （修正有）【課題】スロータイプ釣り竿のリアグリップがセパレートタイプで、その中間のシャフト部分を見栄えよく保護できて、しかも効率的かつ容易に移動装着脱着できるプロテクタを提供する。【解決手段】シャフトプロテクタ１１は弾性体からなる中空筒体と中空筒体の筒部の軸方向に延びる割り溝とで構成され、中空筒体は、筒部内面がシャフト５の表面に当接して、摺動自在かつ位置固定可能であり、割り溝は中空筒体の筒部外面から筒部内面まで達しており、かつ割り溝の外面側はテーパー状に広がった挿入部が形成されてなり、シャフトプロテクタ１１の取付け場所は、セパレートタイプのリアグリップ３，４間に位置するシャフト５であり、船縁に設けた釣り竿スタンド８の口部９に接する位置や、船縁上面に接する位置にスライド調節可能な釣り竿のシャフトプロテクタとする。【選択図】図１
0003197183.tif 000002
【実用新案登録請求の範囲】
【請求項１】
グリップ部とリール取付け部とからなる手元側竿体のシャフトに対して取付けられるシャフト表面保護用のプロテクタであって、
弾性体からなる中空筒体と該中空筒体の筒部の軸方向に延びる割り溝とで構成されることを特徴とする釣り竿のシャフトプロテクタ。
【請求項２】
中空筒体は、筒部内面がシャフト表面に当接して、摺動自在かつ位置固定可能である請求項１記載の釣り竿のシャフトプロテクタ。
【請求項３】
割り溝は中空筒体の筒部外面から筒部内面まで達しており、かつ割り溝の外面側はテーパー状に広がった挿入部が形成されてなる請求項１記載の釣り竿のシャフトプロテクタ。
【請求項４】
シャフトプロテクタの取付け場所はリアグリップがセパレートタイプの中間に位置するシャフトであり、船縁に設けた釣り竿スタンドの口部に接する位置や、船縁上面に接する位置に調節可能な請求項１ないし３いずれか記載の釣り竿のシャフトプロテクタ。
【請求項５】
グリップ部とリール取付け部とからなる手元側竿体と、この手元側竿体の先端に取り付けられる穂先側竿体とで構成される釣り竿のシャフトに対して取付けられるシャフト表面保護用のプロテクタであって、
弾性体やコルクからなる中空筒体と該中空筒体の筒部の軸方向に延びる割り溝とで構成され、
中空筒体は、筒部内面がシャフト表面に当接して、摺動自在かつ位置固定可能であり、
割り溝は中空筒体の筒部外面から筒部内面まで達しており、かつ割り溝の外面側はテーパー状に広がった挿入部が形成されてなり、
シャフトプロテクタの取付け場所はリアグリップがセパレートタイプの中間に位置するシャフトであり、船縁に設けた釣り竿スタンドの口部に接する位置や、船縁上面に接する位置に調節可能としてなることを特徴とする釣り竿のシャフトプロテクタ。
【考案の詳細な説明】
【技術分野】
【０００１】
本考案は、釣り竿のシャフトプロテクタに関するもので、特に、竿本体（ブランクス）が細く、かつリアグリップがセパレートタイプのスローアクション（胴調子）釣り竿のシャフトプロテクタとして好適なものに関する。
【背景技術】
【０００２】
釣り竿本体は、一般に中空シャフトが用いられるので、「ブランクス」とも称される。最近は、軽量化と高強度が得られる炭素繊維強化プラスチックの中空パイプからなるカーボン竿やグラファイト竿が用いられるようになってきている。例えば、下記特許文献１には、カレイ釣りに使用されるツーピースタイプの船竿が記載され、グリップ部とリール取付け部とからなる手元側竿体とこの先端に取り付けられる穂先側竿体とで構成したものが提案されている。
【０００３】
従来の投げ釣り型（キャスティングタイプ）の釣り竿は、手元側竿体のほとんどが長いテーパー状のリアグリップが用いられており、シャフト本体が露出することはなかった。ところが、舟釣りでは投げ釣りよりも中深海用の釣り果を狙うことから、竿の軽量化と高強度化により、釣り竿をゆっくり操作するスロータイプの釣り竿が普及してきている。このスロータイプの釣り竿はリアグリップがセパレートタイプで、その中間はシャフトが露出している。
【０００４】
これら、スロータイプやキャスティングタイプの釣り竿において、グリップの改良も試みられ、特に、肘当てにもなるグリップが提案されている。例えば、特許文献２には、グリップが固定式でなく、釣り人の好みの位置に容易に装着できるように、また、肘当てにもなるように略三角形の軸方向に延びる貫通孔とこれに連通する割部分が形成され、これが、竿体への凹入部分となる形状のグリップが見られる。このほか、テーパー型中空円筒体で、グリップ等に挿入することで、割部分が分離して開く切り込みが軸方向にある形状で従来のグリップに挿入して肘当てにすることも特許文献３に見られる。
【先行技術文献】
【特許文献】
【０００５】
【特許文献１】特開２０１２−５３７８号公報
【特許文献２】特開２００４−８１０６７号公報
【特許文献３】特開２００８−４８６１９号公報
【考案の概要】
【考案が解決しようとする課題】
【０００６】
しかしながら、前記特許文献１に開示されたようなスロータイプの釣り竿でリアグリップがセパレートタイプの舟竿の多様化から、グリップは必要最小限に短くかつ細くなり、それだけシャフト部分の露出長が大となってきている。これに伴って、船縁りに設けた釣り竿のスタンドの口部には、必ずと云ってよいほどに露出したシャフト部分が当たり接することになってきており、シャフトの損傷を避けるために、釣り人により粘着テープを巻くなどの応急処置が講じられているに過ぎない。
【０００７】
本考案は、特に、釣竿のリアグリップがセパレートタイプとなっているスロータイプ釣竿の分割されたグリップ間のシャフトが露出している部分に取り付けて、釣竿のシャフトを見栄えよく保護できて、しかも効率的かつ容易に移動装着脱着できる、シャフトプロテクタの提供を目的とする。
【課題を解決するための手段】
【０００８】
前記目的を達成するために、本考案は、グリップ部とリール取付け部とからなる手元側竿体のシャフトの露出部分に対して取付けられるシャフト表面保護用のプロテクタであって、弾性体からなる中空筒体と該中空筒体の筒部の軸方向に延びる割り溝とで構成されることを特徴とする釣り竿のシャフトプロテクタである。したがって、中空筒体の弾性と筒部の軸方向に延びる割り溝の作用により、シャフトに割り溝を宛てがうことで装着し、所定位置にスライドして移動できる。
【０００９】
前記本考案のシャフトプロテクタの中空筒体は、筒部内面がシャフト表面に当接して、摺動自在かつ位置固定可能である。摺動自在かつ位置固定可能にするためには、筒部内面とシャフト表面との摩擦抵抗を適当にする必要があり、弾性係数や両者の寸法差、あるいは筒部内面の粗さ等を適当に設定する。
【００１０】
前記中空筒体の筒部の軸方向に延びる割り溝は中空筒体の筒部外面から筒部内面まで達しており、かつ割り溝の外面側にはテーパー状に広がった挿入部が形成されてなる。したがって、割り溝をシャフト外面に当接した場合、割り溝が開きやすくなり、プロテクタの装着が容易になる。
【００１１】
前記シャフトプロテクタの取付け場所は、リアグリップがセパレートタイプの中間に位置するシャフトであり、釣り竿を船縁に設けた釣り竿スタンドに挿入して立てた場合は、スタンドの口部に接する位置であり、釣り竿を横にして釣り果を追う際の船縁上面に接する位置を覆うように位置調節可能にシャフトに装着できるシャフトプロテクタである。この構成によれば、シャフト表面の傷つきを気にすることなく釣り竿の操作を楽しむことが出来る。
【００１２】
シャフト表面保護用のプロテクタの中空筒体を構成する弾性体は、天然ゴム及又は合成ゴムからなる弾性体で、合成ゴムでは、ポリウレタンゴム、シリコ−ンゴム、ポリブタジエンゴム、ニトリルブタジエン共重合体ゴムなどから、適宜選択できる。また、グリップに用いられるコルクや樹脂含浸コルクも割り溝の間隔を調整することでシャフトに着脱可能となる。更に、シャフトプロテクタが紛失しないように色彩を施したり、所有者のネームプレートを施したりすることも任意である。中空筒体の筒部の内外径や長さ、あるいは軸方向に延びる割り溝の開度なども、シャフトの太さに応じて適宜変更する。
【考案の効果】
【００１３】
本考案によれば、上記の構成にしたので、多種多様なシャフト径に対しても広く適用が可能になるとともに、大切な釣り竿のシャフトを十分に保護することができ、しかも簡単に装着脱着ができ取扱い性にも優れる。更に、この構成によれば、見栄えもよく、しかもシャフト表面の傷つきを気にすることなく釣り竿の操作を楽しむことができる。
【図面の簡単な説明】
【００１４】
【図１】本考案シャフトプロテクタを装着してセパレート型釣り竿手元側シャフトを保護したものを、ロッドホルダに挿入した状態を示す側面図である。
【図２】図１のシャフトプロテクタの拡大正面図である。
【図３】図１のＡーＡ矢視拡大断面図である。
【図４】本考案のシャフトプロテクタの第２の例を示す正面図である。
【図５】図４のシャフトプロテクタ平面図である。
【図６】本考案のシャフトプロテクタの第３の例を示す正面図である。
【図７】図６のシャフトプロテクタ平面図である。
【考案を実施するための形態】
【００１５】
以下、本考案の一実施形態について、図面を参照しながら説明する。図１は、手元側竿体とそれに接続される穂先側竿体（図示せず）とからなる釣り竿の、手元側竿体１のグリップ部が第１グリップ３と第２グリップ４の二つに分かれてその間にシャフト５が露出したセパレート型であって、第２グリップ４の先側にリール取付け部６とフロントグリップ７が設けられた手元側竿体１を示した図である。一般に、セパレート型釣り竿はその目的に応じてシャフトの太さは６〜18mm, 第１グリップ３と第２グリップ４間に露出しているシャフト５の露出長も150mm〜400mmと種々のものがある。
【００１６】
図１には、本考案の一実施形態に係るシャフトプロテクタ11を、このセパレート型釣り竿の手元側竿体1の第１グリップ３と第２グリップ４間に露出しているシャフト５の後ろ側から装着したセパレート型釣り竿の手元側竿体１の側面図で示してある。また、図１には更に、本考案の一実施形態に係るシャフトプロテクタ11をシャフト５に装着してセパレート型釣り竿手元側竿体１のシャフト５を保護したものを、釣り竿スタンド（断面表示）のロッドホルダ８に差し込んで立てた状態を示している。この際、シャフトプロテクタ11の取
付け場所はセパレートタイプのリアグリップ３,４間に位置するシャフト５であり、その位置は、船縁２に固定したロッドホルダ８に差し込んで立てた状態で、丁度ロッドホルダ８の口部９に当接するようにする。このほか図示はしないが、船縁２上面に接する位置にスライド調節可能な釣り竿のシャフトプロテクタ11としても利用できる。図に示したシャフトプロテクタ11の中空筒体12の形状は円筒であるが、三角筒、四角筒のほか多角形の筒体、あるいは球体や楕円体に近い両端が円みを帯びた筒体など、他の形状であってもよい。
【００１７】
本考案のシャフトプロテクタ11は、図２〜図７に示すように、弾性体からなる中空筒体12と該中空筒体12の筒部13の軸方向に延びる割り溝14とで構成され、中空筒体12は、筒部13内面がシャフト５表面に当接して、摺動自在かつ位置固定可能であり、割り溝14は中空筒体12の筒部13外面から筒部内面まで達しており、かつ割り溝14の外面はテーパー状に広がった挿入部15が形成されてなる。そして、シャフト５の太さや露出長さは前述のようにかなりの幅があり、これらに適応するためにシャフトプロテクタ11の形状にもその大きさに幅があって当然である。通常、中空筒体12の大きさは、外径6〜60mm,内径5〜17mm,長さ6〜100mmであり、好ましい範囲は外径10〜40mm,内径5〜15mm,長さ20〜60mmである。
【００１８】
例えば、図２及び図３に示すシャフトプロテクタ11は、中空筒体12の外径30mm,内径7.5mm,長さ30mmで、シャフト径7.8〜9.2mmに対応したものである。シャフトプロテクタ11の筒部13内径はその内面がシャフト５表面に当接して、摺動自在かつ位置固定可能なように、若干シャフト径よりも小であり、筒部の弾性と相まって図１に見られるように、船縁２に設けた釣り竿スタンド８の口部９に接する位置、あるいは、図示しないが船縁２上面に接する位置にスライド調節可能かつ位置固定可能であるので、釣り竿のシャフト部分が直接的に他の部材と接触して傷をつけることがなく、シャフトプロテクタとしての性能を発揮する。
【００１９】
図４及び図５は、本考案のシャフトプロテクタ11の第２の例を示すもので、図１よりは太いシャフト５に対応できる中空筒体12の外径30mm,内径11mm,長さ30mmで、シャフト径11.2〜12mmに対応したものである。
【００２０】
図６及び図７は、本考案のシャフトプロテクタ11の第３の例を示すもので、
図１よりは細いシャフト５に対応できる中空筒体12の外径25mm,内径6.5mm,長さ60mmで、シャフト径7〜9mmに対応したものである。この例はシャフト５が細いので、筒部13の長さを大として、シャフト５の保護範囲を大とする。これにより、シャフト５の曲げを防ぐこともできる。このように、シャフトプロテクタ11の内外径や長さをも目的に応じて適宜変更可能である。また、弾性体の硬度を変更したり、弾性スポンジを使用することで、かなり広い範囲のシャフト径に対して１個のシャフトプロテクタで対応することも可能である。
【符号の説明】
【００２１】
１  手元側竿体
２  船縁
３  第１リアグリップ
４  第２リアグリップ
５  シャフト
６  リール取付部
７  フロントグリップ
８  ロッドホルダ
９  ロッドホルダ口部
11  シャフトプロテクタ
12  中空筒体
13  筒部
14  割り溝
15  挿入部
【図１】
0003197183.tif 000003
【図２】
0003197183.tif 000004
【図３】
0003197183.tif 000005
【図４】
0003197183.tif 000006
【図５】
0003197183.tif 000007
【図６】
0003197183.tif 000008
【図７】
0003197183.tif 000009